(57)【要約】【課題】安全スイッチが正常に作動しない場合にあっても移動手摺りとインレット部材の隙間への巻き込み事故を防止でき、しかも、摩耗粉が発生せず、インレット部材の製造コストが安い。【解決手段】スカート部６に移動手摺り５が進入する位置で移動手摺り５の外周を覆い、且つ、移動手摺り５の移動方向に移動自在に設けられたインレット部材１１と、インレット部材１１の移動を検出する安全スイッチ１２と、インレット部材１１の先端面１１ａより移動手摺り５の移動方向のほぼ反対方向に向かって突出するブラシ部１３とを備えている。【選択図】  図２
2008120512.tif 000002
【特許請求の範囲】
【請求項１】
スカート部に移動手摺りが進入する位置で前記移動手摺りの外周を覆い、かつ前記移動手摺りと離間し、かつ前記移動手摺りの移動方向に移動自在に設けられたインレット部材と、
前記インレット部材の移動を検出する安全スイッチと、
前記インレット部材の先端面より前記移動手摺りの長手方向に向かって突出するブラシ部と、
を備えたことを特徴とする乗客コンベアのインレット安全装置。
【請求項２】
前記スカート部より突出するインレット部材の外周を覆うインレットガード部を備えたことを特徴とする請求項１に記載された乗客コンベアのインレット安全装置。
【請求項３】
前記ブラシ部は、前記移動手摺りの水平箇所からカーブ箇所に変化する直前位置まで達する長さであることを特徴とする請求項１又は請求項２のいずれかに記載された乗客コンベアのインレット安全装置。
【請求項４】
前記ブラシ部は、前記インレット部材の先端面に間隔を開けて形成された複数の圧入孔にそれぞれ圧入された複数のブラシ片より構成されていることを特徴とする請求項１乃至請求項３のいずれかに記載された乗客コンベアのインレット安全装置。
【請求項５】
前記各ブラシ片は、先端側が複数本に分岐された弾性を有する合成樹脂にて構成されていることを特徴とする請求項４に記載された乗客コンベアのインレット安全装置。
【請求項６】
前記複数のブラシ片は、前記ブラシ片の直径以上の間隔で前記インレット部材に取り付けされていることを特徴とする請求項４又は請求項５に記載された乗客コンベアのインレット安全装置。
【請求項７】
前記ブラシ部は、前記移動手摺りと同一色であることを特徴とする請求項１乃至請求項６のいずれかに記載された乗客コンベアのインレット安全装置。
【請求項８】
前記ブラシ部の先端と前記前記移動手摺りとの距離は、前記移動手摺りと前記インレット部材との隙間寸法より大きいことを特徴とする請求項１乃至請求項７のいずれか一項に記載された乗客コンベアのインレット安全装置。
【請求項９】
前記ブラシ部は、少なくとも移動手摺りが引き込まれる位置に配置されていることを特徴とする請求項１乃至請求項８のいずれか一項に記載された乗客コンベアのインレット安全装置。
【請求項１０】
請求項１乃至請求項９のいずれか一項に記載された乗客コンベアのインレット安全装置を備えたエスカレータ。
【発明の詳細な説明】
【技術分野】
【０００１】
本発明は、移動手摺りがスカート部内に入り込む箇所での巻き込み事故を防止するための乗客コンベアのインレット安全装置およびエスカレータに関する。
【背景技術】
【０００２】
乗客コンベアであるエスカレータは、上階床と下階床の間に亘って配置されたトラス構造体と、このトラス構造体内でほぼ長楕円軌道に沿って配置され、無端状に連結された多数の踏段と、この踏段の両側位置に立設された一対の欄干と、一対の欄干の周縁部にそれぞれ装着され、踏段と同期して移動する無端状の一対の移動手摺りと、一対の欄干の各下部位置で、一方の乗降口から他方の乗降口の間に亘って設けられた一対のスカート部とを備えている。
【０００３】
移動手摺りは、エスカレータの乗り口側でスカート部より外部に現れ、欄干の上端側を走行する際に利用者が手で掴めるように外部を移動する。そして、エスカレータの降り口側でスカート部内に入り込み、欄干の下端側を走行する際にはスカート部内を移動する。移動手摺りが外部よりスカート部内に入り込む箇所では、移動手摺りと共に利用者の指等がスカート部との隙間に巻き込まれることが想定される。そのため、スカート部への巻き込み防止対策として従来より種々のインレット安全装置が提案されている（例えば特許文献１参照）。
【０００４】
インレット安全装置の一従来例が図７及び図８に示されている。図７及び図８において、インレット安全装置１００は、スカート部１０１の正面プレート１０１ａに移動手摺り１０２が進入する位置で、移動手摺り１０２の移動方向ｃに変移できるように設けられたインレット部材１０３と、スカート部１０１の内部に設けられ、インレット部材１０３の移動手摺り１０２の移動方向ｃへの変移を検出する安全スイッチ１０４とを備えている。インレット部材１０３は、スカート部１０１の正面プレート１０１ａより外部に突出し、移動手摺り１０２の外周を包囲している。インレット部材１０３は、移動手摺り１０２の振動、部品寸法誤差、部品取付誤差等を考慮して、移動手摺り１０２に対して所定の隙間を介して配置される。
【０００５】
上記構成において、移動手摺り１０２とインレット部材１０３との隙間に利用者の指などの異物が巻き込まれると、インレット部材１０３が移動手摺り１０２の移動方向ｃに変移し、これを安全スイッチ１０４が検知する。この安全スイッチ１０４の検知によって、エスカレータの運転が停止し、利用者の指等の異物が移動手摺り１０２とインレット部材１０３との隙間に深く巻き込まれる事態を防止する。
【０００６】
しかし、前記従来例にあっては、インレット部材１０３が移動手摺り１０２の移動方向ｃに変移しても安全スイッチ１０４が何らかの理由によって作動しない場合には安全性を確保できない。このような安全スイッチ１０４の不作動時にも安全性を確保できる従来のインレット安全装置として図９及び図１０に示すものがある。
【０００７】
図９及び図１０において、このインレット安全装置１１０では、前記従来例と比較してインレット部材１１１の構成が相違する。つまり、インレット部材１１１は、先端側に凹部１１１ａを有している。凹部１１１ａの内面の全域には、ブラシ部１１２が植設されている。ブラシ部１１２は、インレット部材１１１の外側には突出せず、凹部１１１ａ内に配置されている。ブラシ部１１２は、移動手摺り１０２に向かって傾斜し、ブラシ部１１２の先端が移動手摺り１０２に接触している。
【０００８】
この従来例によれば、インレット部材１１１と移動手摺り１０２の隙間より手前位置にブラシ部１１２が配置されているので、利用者の指等の異物は先ずブラシ部１１２によってインレット部材１１１の凹部１１１ａへの進入が阻止され、その奥に位置するインレット部材１１１と移動手摺り１０２との隙間に入り込まない。つまり、指等の異物がインレット部材１１１と移動手摺り１０２との隙間自体に入り込むこと自体を防止している。
【特許文献１】実開平２−５２８８０号公報
【発明の開示】
【発明が解決しようとする課題】
【０００９】
しかしながら、後者の従来例では、ブラシ部１１２が移動手摺り１０２に接触しているため、移動手摺り１０２の摩耗粉が発生するという問題があった。又、インレット部材１１１に凹部１１１ａを設け、この凹部１１１ａ内にブラシ部１１２を植え込む必要があるため、インレット部材１１１の製造コストが高くなるという問題があった。
【００１０】
そこで、本発明は、安全スイッチの正常作動の有無に関わらずインレット部材と移動手摺りの隙間への巻き込み事故を防止でき、しかも、移動手摺りの摩耗粉が発生せず、インレット部材の製造コストが安い乗客コンベアのインレット安全装置を提供することを目的とする。
【課題を解決するための手段】
【００１１】
本発明の特徴は、乗客コンベアのインレット安全装置であって、スカート部に移動手摺りが進入する位置で前記移動手摺りの外周を覆い、かつ前記移動手摺りと離間し、かつ前記移動手摺りの移動方向に移動自在に設けられたインレット部材と、前記インレット部材の移動を検出する安全スイッチと、前記インレット部材の先端面より前記移動手摺りの長手方向に向かって突出するブラシ部と、を備えたことを要旨とする。
【発明の効果】
【００１２】
本発明によれば、インレット部材と移動手摺りの隙間より手前位置にブラシ部が位置するため、利用者の指等の異物が先ずブラシ部によってそれ以上の進入が阻止され、その奥に位置するインレット部材と移動手摺りとの隙間に入り込むことがない。そして、インレット部材の先端面より突出するブラシ部が移動手摺りの移動方向のほぼ反対方向に沿って突出するため、ブラシ部が移動手摺りにほとんど接触することがなく、又、インレット部材の先端面にブラシ部を設ければ良いため製造が容易である。以上より、安全スイッチの正常作動の有無に関わらずインレット部材と移動手摺りの隙間への巻き込み事故を防止でき、しかも、移動手摺りの摩耗粉が発生せず、インレット部材をコスト安に製造できる。
【００１３】
又、従来例では、インレット部材の凹部内にブラシ部が設けられているため、利用者の指等の一部がブラシ部に接触した時点では既にインレット部材内に指等が入り込んだ後である。これに対し、本発明では、インレット部材の外側に突出するようブラシ部が設けられているため、インレット部材の手前位置で利用者の指等の異物がブラシ部に接触する。従って、ブラシ部への接触違和感で指等を引き抜こうとするタイミングを早めることができ、安全性が向上する。
【発明を実施するための最良の形態】
【００１４】
以下、本発明の実施の形態を図面を用いて説明する。
【００１５】
（第１の実施の形態）
図１〜図３は本発明に係る乗客コンベアのインレット安全装置を適用した第１の実施の形態を示し、図１はエスカレータの概略側面図、図２はインレット安全装置の設置状態を示す側面図、図３は図２のＡ−Ａ線断面図である。
【００１６】
図１に示すように、乗客コンベアであるエスカレータ１は、上階床と下階床の間に亘って配置されたトラス構造体２と、このトラス構造体２内で長楕円軌道に沿って配置され、無端状に連結された多数の踏段３と、この多数の踏段３の両側位置に立設された一対の欄干４と、一対の欄干４の周縁部にそれぞれ装着され、多数の踏段３と同期して移動する無端状の一対の移動手摺り５と、一対の欄干４の各下方位置を覆い、上階床の乗降口から下階床の乗降口の間に亘って設けられた一対のスカート部６とを備えている。
【００１７】
移動手摺り５は、上昇方向Ｕの運転時には下階床の乗降口側でスカート部６内より外部に現れ、上階床の乗降口側でスカート部６内に入り込む。又、下降方向Ｄの運転時には上階床の乗降口側でスカート部６内より外部に現れ、下階床の乗降口側でスカート部６内に入り込む。そして、各運転時において、移動手摺り５が欄干４の上端側を走行する際に利用者が手で掴むことに利用される。
【００１８】
スカート部６は、図２及び図３に示すように、欄干４の踏段３側である内側を覆い、利用者の足元を保護する内側デッキ部６ａと、欄干４の外側を覆う外側デッキ部６ｂと、内側デッキ部６ａと外側デッキ部６ｂの長手方向の両側位置、つまり、上階床及び下階床の双方の乗降口の位置で、その各端面の内側を覆う正面内側プレート６ｃ及び正面外側プレート６ｄとから構成されている。上階床及び下階床の双方の乗降口位置の正面内側プレート６ｃと正面外側プレート６ｄには、欄干４と移動手摺り５を通すための欄干・手摺り用孔７がそれぞれ形成されている。そして、この各欄干・手摺り用孔７の周辺位置にインレット安全装置１０が設置されている。尚、インレット安全装置１０は、移動手摺り５がスカート部６に入り込む位置にのみ設置すれば良いが、本エスカレータ１は、上昇運転と下降運転の選択運転が可能である。そのため、インレット安全装置１０は、上階床及び下階床の双方の乗降口位置側の２カ所に設置されている。
【００１９】
図２及び図３に詳しく示すように、インレット安全装置１０は、正面内側プレート６ｃ及び正面外側プレート６ｄの欄干・手摺り用孔７に基端側が挿入され、先端側が正面内側プレート６ｃ及び正面外側プレート６ｄより外部に突出されたインレット部材１１と、正面内側プレート６ｃ及び正面外側プレート６ｄの内部に配置された安全スイッチ１２と、インレット部材１１の先端面１１ａに植え込まれたブラシ部１３とを備えている。
【００２０】
インレット部材１１は、断面Ｃ字状の移動手摺り５の外周を包囲するよう同じく断面Ｃ字状であり、正面内側プレート６ｃ及び正面外側プレート６ｄより外部に位置する移動手摺り５の箇所を覆っている。インレット部材１１は、移動手摺り５の移動方向（図２のｃ矢印方向）に変移自在に配置されている。インレット部材１１は、ゴム材にて形成されている。インレット部材１１の先端面には、下記するブラシ片１３ａの直径以上の間隔で圧入孔（符号を付けず）が形成されている。
【００２１】
安全スイッチ１２は、インレット部材１１の移動手摺り５の移動方向（図２のｃ矢印方向）への変移を検出し、この検出情報をエスカレータ１の図示しない駆動制御部に出力する。駆動制御部は、安全スイッチ１２からインレット部材１１の移動情報を受けると、直ちにエスカレータ１を緊急停止させる。
【００２２】
ブラシ部１３は、インレット部材１１の先端面１１ａより移動手摺り５の移動方向（図２のｃ矢印方向）のほぼ反対方向に沿って突出する。これによって、ブラシ部１３は、移動手摺り５に対してほとんど接触せずに配置されている。ブラシ部１３は、移動手摺り５の水平箇所からカーブ箇所に変化する直前位置まで達する長さであり、移動手摺り５と同一色である。
【００２３】
又、ブラシ部１３は、インレット部材１１の先端面１１ａの複数の圧入孔にそれぞれ圧入された複数のブラシ片１３ａより構成されている。各ブラシ片１３ａは、その根本部が断面円形状であり、ブラシ片１３ａの直径以上の間隔で植え込まれている。各ブラシ片１３ａは、合成樹脂製であり、先端側が複数本に分岐されている。これによって、ブラシ部１３は、移動手摺り５の外周をほとんど隙間なく覆っている。各ブラシ片１３ａの分岐された先端側は、十分な柔軟性を持っている。
【００２４】
上記したインレット安全装置１０の構成によれば、インレット部材１１と移動手摺り５との隙間より十分に手前位置にブラシ部１３が配置されるため、利用者の指等の異物が先ずブラシ部１３によってそれ以上の進入が阻止され、その奥に位置するインレット部材１１と移動手摺り５との隙間に入り込むことがない。そして、インレット部材１１の先端面１１ａより突出するブラシ部１３が移動手摺り５の移動方向ｃのほぼ反対方向に沿って突出するため、ブラシ部１３が移動手摺り５にほとんど接触せず、又、インレット部材１１の先端面１１ａにブラシ部１３を設ければ良く、製造が容易である。以上より、安全スイッチ１２の正常作動の有無に関わらずインレット部材１１と移動手摺り５との隙間への巻き込み事故を防止でき、しかも、移動手摺り５の摩耗粉が発生せず、又、インレット部材１１の製造コストが安い。
【００２５】
従来例では、インレット部材の凹部内にブラシ部が設けられているため、利用者の指等の異物がブラシ部に接触した時点では既にインレット部材内に指等が入り込んだ後である。これに対し、本発明では、インレット部材１１の外側に突出するようブラシ部１３が設けられているため、インレット部材１１の手前位置で利用者の指等の異物がブラシ部１３に接触する。従って、ブラシ部１３への接触違和感で指等を引き抜こうとするタイミングを早めることができ、安全性が向上する。
【００２６】
利用者がブラシ部１３に接触しても指等を引き抜くことなくそのままの状態であれば、ブラシ部１３を介してインレット部材１１を押圧してインレット部材１１が移動手摺り５の移動方向ｃに変移する。この変移を安全スイッチ１２が検知し、エスカレータ１の運転が緊急停止される。
【００２７】
また、既存設備に対してはブラシ部１３付きのインレット部材１１に交換するだけで良いため、既存設備への後付け設置を容易に行うことができる。
【００２８】
（第２の実施の形態）
図４及び図５は本発明の第２の実施の形態を示し、図４はインレット安全装置の設置状態を示す側面図、図５は図４のＢ−Ｂ線断面図である。
【００２９】
図４及び図５に示すように、この第２の実施の形態に係るインレット安全装置２０は、前記第１の実施の形態に係るインレット安全装置１０と比較するに、スカート部６の正面内側プレート６ｃ及び正面外側プレート６ｄに固定されたインレットガード部２１を備えている。インレットガード部２１は、スカート部６より突出されたインレット部材１１の外周を覆っている。
【００３０】
他の構成は、前記第１の実施の形態と同様であるため、図面の同一構成箇所には同一符号を付してその説明を省略する。
【００３１】
この第２の実施の形態では、インレット部材１１を覆うインレットガード部２１を設けたので、利用者の手荷物や足等が誤ってインレット部材１１に当たり、インレット部材１１が移動手摺り５の移動方向ｃに変移して安全スイッチが誤作動するのを防止できる。
【００３２】
既存設備に対してインレットガード部２１を簡単に取り付けできるため、既存設備への後付け設置が容易に可能である。
【００３３】
尚、この各実施の形態では、インレット安全装置１０，２０を乗客コンベアであるエスカレータ１に適用したが、エスカレータ１以外の乗客コンベア、例えば動く歩道に適用できることはもちろんである。
【００３４】
（その他の実施の形態）
上述した実施の形態の開示の一部をなす論述および図面はこの発明を限定するものであると理解すべきではない。この開示から当業者には様々な代替実施の形態、実施例および運用技術が明らかとなろう。
【００３５】
上記した実施の形態では、ブラシ部１３の先端と移動手摺り５との距離が、移動手摺り５とインレット部材１１との隙間寸法が同程度であったが、図６に示すように、ブラシ部１３が外側へ向けて拡開するようにして、ブラシ部１３の先端と移動手摺り５との距離が、移動手摺り５とインレット部材１１との隙間寸法より大きくしてもよい。このように、ブラシ部１３を拡開させることにより、インレット部材１１に近づいた指などにブラシ部１３が当たる領域を広げて指挿入などの事故を未然に防ぐことができる。
【図面の簡単な説明】
【００３６】
【図１】本発明の第１の実施の形態に係るインレット安全装置を適用したエスカレータの概略側面図。
【図２】インレット安全装置の設置状態を示す側面図。
【図３】図２のＡ−Ａ線断面図。
【図４】本発明の第２の実施の形態に係るインレット安全装置を設置状態を示す側面図。
【図５】図４のＢ−Ｂ線断面図。
【図６】本発明の他の実施の形態を示す側面図。
【図７】従来例のインレット安全装置の設置状態を示す側面図。
【図８】図７のＣ−Ｃ線断面図。
【図９】他の従来例のインレット安全装置の設置状態を示す断面図。
【図１０】図９のＤ−Ｄ線断面図。
【符号の説明】
【００３７】
１  エスカレータ（乗客コンベア）
５  移動手摺り
６  スカート部
１０  インレット安全装置
１１  インレット部材
１１ａ  先端面
１２  安全スイッチ
１３  ブラシ部
１３ａ  ブラシ片
２０  インレット安全装置
２１  インレットガード部
【図１】
2008120512.tif 000003
【図２】
2008120512.tif 000004
【図３】
2008120512.tif 000005
【図４】
2008120512.tif 000006
【図５】
2008120512.tif 000007
【図６】
2008120512.tif 000008
【図７】
2008120512.tif 000009
【図８】
2008120512.tif 000010
【図９】
2008120512.tif 000011
【図１０】
2008120512.tif 000012